(57)【要約】　　　（修正有）【課題】超音波を発生できる超音波扇風機を提供する。【解決手段】内部にモータを備える本体１０を有し、モータの回転軸がファン２０と連接され、該本体１０の内部にモータを制御する制御回路が設けられる超音波扇風機であって、本体１０の内部に超音波発生装置が設けられることを特徴とする。【効果】本体の内部に電圧降下及び安定化回路と、超音波発生回路と、超音波発射回路と、超音波発射器とを備える超音波発生装置により、超音波を発射することができ、従って、超音波発生装置と扇風機を結合すると共に、扇風機に新たな機能を与えることができる。【選択図】　図３
0003096899.tif 000002
【実用新案登録請求の範囲】
【請求項１】
内部にモータを備える本体（１０）を有し、モータの回転軸がファン（２０）と連接され、該本体（１０）の内部にモータを制御する制御回路が設けられる超音波扇風機であって、
上記本体（１０）の内部に超音波発生装置が設けられることを特徴とする超音波扇風機。
【請求項２】
上記の超音波発生装置は、電圧降下及び安定化回路（Ａ）と、超音波発生回路（Ｂ）と、超音波発射回路（Ｃ）と、超音波発射器（Ｄ）とを備えることを特徴とする請求項１に記載の超音波扇風機。
【請求項３】
上記の電圧降下及び安定化回路（Ａ）は、入力した交流電圧を降下すると共に、電圧を安定化して、例えば５Ｖの第１の電圧とこれより高圧の例えば１２Ｖの第２の電圧を出力し、
上記の超音波発生回路（Ｂ）は、上記の電圧降下及び安定化回路（Ａ）から提供する例えば５Ｖの第１の電圧により、超音波の発生信号を発生し、
上記の超音波発射回路（Ｃ）は、上記の電圧降下及び安定化回路（Ａ）から提供する例えば１２Ｖの第２の電圧及び上記の超音波発生回路（Ｂ）から提供する超音波の発生信号により、超音波発射器（Ｄ）を制御して、超音波を発射することを特徴とする請求項１又は請求項２に記載の超音波扇風機。
【請求項４】
前記本体は、床面等にて支持されるベース部と、このベース部から立上り部を介して支持されるモータ収容部とを備え、この本体のモータ収容部に前記ファンが連接して支持される一方、前記超音波発生装置は、前記ベース部に内蔵されている請求項１ないし３のいずれか１項に記載の超音波扇風機。
【考案の詳細な説明】
【０００１】
【考案の属する技術分野】
本考案は、特に超音波を発生できる超音波扇風機に関するものである。
【０００２】
【従来の技術】
従来の扇風機は、内部にモータを設ける本体を有し、モータの回転軸がファンと連結されることにより、電力を介して風を発生すると共に、空気の流通及び涼しい効果を達成できる。
【０００３】
【考案が解決しようとする課題】
しかしながら、この従来の扇風機は単に風を発生するため、体に対して他の役に立つ効果が提供されず、更に、単一効果を有する扇風機は一般の家庭に殆ど有するので、新たな扇風機に対して新機能がなければ、売上げの実績を向上することができない。なお、従来の扇風機により超音波を発生できるものはないので、超音波を発生できる扇風機を開発できれば、新たな扇風機の売上げを向上する効果を達成できる。
【０００４】
人の耳に音として聞こえない超音波は自然界に多く含まれている。その超音波に自然界のリズムで気流をゆるがせることで、心身ともに安らいでいるときの脳波であるα波を増大させる効果がある。自然に触れた時の心地よさはこのことがひとつの要因になっている。従って、超音波発生装置と扇風機を結合できれば、扇風機に新たな機能を与えることができる。
【０００５】
そこで、案出されたのが本考案であって、超音波を発生できる超音波扇風機を提供することを目的としている。
【０００６】
【課題を解決するための手段】
本願の請求項１の考案は、内部にモータを備える本体（１０）を有し、モータの回転軸がファン（２０）と連接され、該本体（１０）の内部にモータを制御する制御回路が設けられる超音波扇風機であって、
上記本体（１０）の内部に超音波発生装置が設けられることを特徴とする。
本願の請求項２の考案は、上記の超音波発生装置は、電圧降下及び安定化回路（Ａ）と、超音波発生回路（Ｂ）と、超音波発射回路（Ｃ）と、超音波発射器（Ｄ）とを備えることを特徴とする。
本願の請求項３の考案は、上記の電圧降下及び安定化回路（Ａ）は、入力した交流電圧を降下すると共に、電圧を安定化して、例えば５Ｖの第１の電圧とこれより高圧の例えば１２Ｖの第２の電圧を出力し、上記の超音波発生回路（Ｂ）は、上記の電圧降下及び安定化回路（Ａ）から提供する例えば５Ｖの第１の電圧により、超音波の発生信号を発生し、上記の超音波発射回路（Ｃ）は、上記の電圧降下及び安定化回路（Ａ）から提供する例えば１２Ｖの第２の電圧及び上記の超音波発生回路（Ｂ）から提供する超音波の発生信号により、超音波発射器（Ｄ）を制御して、超音波を発射することを特徴とする。
また、本願の請求項４の考案は、前記本体は、床面等にて支持されるベース部と、このベース部から立上り部を介して支持されるモータ収容部とを備え、この本体のモータ収容部に前記ファンが連接して支持される一方、前記超音波発生装置は、前記ベース部に内蔵されていることを特徴とする。
【０００７】
【作用】
本考案は上記の課題を解決するものであり、本体の内部に電圧降下及び安定化回路と、超音波発生回路と、超音波発射回路と、超音波発射器とを備える超音波発生装置により、超音波を発射することができ、従って、超音波発生装置と扇風機を結合すると共に、扇風機に新たな機能を与えることができる。
【０００８】
【考案の実施の形態】
以下、添付図面を参照して本考案の好適な実施の形態を詳細に説明する。勿論、下記実施例は、本考案の好適な実施の形態を示したものにすぎず、本考案の技術的範囲は、下記実施例そのものに何ら限定されるものではない。
【０００９】
図１は本考案に係る超音波扇風機の超音波発生装置のブロック図であり、図２は本考案に係る超音波扇風機の超音波発生装置の詳細回路図であり、図３は本考案に係る超音波扇風機の実施例を示す斜視図である。
【００１０】
図１及び図３に示すように、本考案に係る超音波扇風機は、内部にモータを備える本体１０を有し、本体１０は、ベース部１０ａと、立上り部１０ｂと、モータ収容部１０ｃとを有する。モータの回転軸がファン２０と連接され、該本体１０のモータ収容部１０ｃ内部にモータ及びそれを制御する制御回路が設けられ、また、本体１０のベース部１０ａに超音波発生装置が設けられる。
【００１１】
上記の制御回路は従来の扇風機と同一であるため、説明を省略する。図２及び図３に示すように、上記の超音波発生装置は、電圧降下及び安定化回路Ａと、超音波発生回路Ｂと、超音波発射回路Ｃと、超音波発射器Ｄとを備える。上記の電圧降下及び安定化回路Ａは入力した交流電圧を降下すると共に、電圧を安定化して、例えば、５Ｖの電圧と１２Ｖの電圧を出力する。
【００１２】
上記の超音波発生回路Ｂは、上記の電圧降下及び安定化回路Ａから提供する５Ｖの電圧により、超音波の発生信号を発生する。
【００１３】
上記の超音波発射回路Ｃは、上記の電圧降下及び安定化回路Ａから提供する１２Ｖの電圧及び上記の超音波発生回路Ｂから提供する超音波の発生信号により、超音波発射器Ｄを制御して、超音波を発射する。この超音波発射器Ｄが、本体１０のベース部１０ａの上面から超音波を発射できるように配置されている。なお、超音波発生装置としては、例えば、空中上側に向かって超音波を発生する超音波素子（例えば、圧電素子）とこれを振動させる駆動回路とを含むもので、図２にその一例を示すことができる。
【００１４】
上記の超音波発生装置を本体１０の内部の上記ベース部１０ａ内の好適な位置に設けるのが好ましく、また、超音波発生装置は扇風機の制御回路と同一になる又は別体になってもよい。
【００１５】
本考案の超音波扇風機によれば、扇風機を使用すると同時に自然の癒し超音波を発生でき、これにより、使用者はストレスの解消効果を得る。
【００１６】
【考案の効果】
本考案は上記の構成を有するので、本体の内部に電圧降下及び安定化回路と、超音波発生回路と、超音波発射回路と、超音波発射器とを備える超音波発生装置により、超音波を発射することができ、従って、超音波発生装置と扇風機を結合すると共に、扇風機に新たな機能を与えることができる。
【図面の簡単な説明】
【図１】本考案に係る超音波扇風機の超音波発生装置のブロック図である。
【図２】本考案に係る超音波扇風機の超音波発生装置の詳細回路図である。
【図３】本考案に係る超音波扇風機の実施例を示す斜視図である。
【符号の説明】
Ａ　　　　　電圧降下及び安定化回路
Ｂ　　　　　超音波発生回路
Ｃ　　　　　超音波発射回路
Ｄ　　　　　超音波発射器
１０　　　　本体
２０　　　　ファン
【図１】
0003096899.tif 000003
【図２】
0003096899.tif 000004
【図３】
0003096899.tif 000005
【手続補正書】
【提出日】平成15年4月1日(2003.4.1)
【手続補正１】
【補正対象書類名】明細書
【補正対象項目名】請求項３
【補正方法】変更
【補正の内容】
【請求項３】
上記の電圧降下及び安定化回路（Ａ）は、入力した交流電圧を降下すると共に、電圧を安定化して、第１の電圧とこれより高圧の第２の電圧を出力し、
上記の超音波発生回路（Ｂ）は、上記の電圧降下及び安定化回路（Ａ）から提供する上記第１の電圧により、超音波の発生信号を発生し、
上記の超音波発射回路（Ｃ）は、上記の電圧降下及び安定化回路（Ａ）から提供する上記第２の電圧及び上記の超音波発生回路（Ｂ）から提供する超音波の発生信号により、超音波発射器（Ｄ）を制御して、超音波を発射することを特徴とする請求項１又は請求項２に記載の超音波扇風機。